(57)【特許請求の範囲】
【請求項１】
原稿が上面に載置されるコンタクトガラスの下側に配置される密着型イメージセンサと、この密着型イメージセンサを上下動可能に支持する走行体と、前記コンタクトガラスと前記密着型イメージセンサとの間隔を一定に保持するスペーサと、このスペーサを介して前記密着型イメージセンサを前記コンタクトガラスに押圧する押圧手段とを備え、この押圧手段によって前記密着型イメージセンサを前記コンタクトガラスの側に押圧した状態で前記走行体を往復移動させて原稿の画像情報を読み取る読取装置において、
前記走行体の移動方向における前記密着型イメージセンサの両側部を押圧して、前記密着型イメージセンサの両側部における揺れを規制する規制手段を設けたことを特徴とする読取装置。
【請求項２】
前記規制手段を前記密着型イメージセンサに設置し、前記走行体を押圧したときの前記走行体からの抗力により前記密着型イメージセンサを押圧することを特徴とする請求項１記載の読取装置。
【請求項３】
前記抗力の方向が斜め上方となるように前記走行体を構成し、前記抗力の上方の成分により前記密着型イメージセンサを上方に押圧させることによって前記規制手段が前記押圧手段を兼ねることを特徴とする請求項２記載の読取装置。
【請求項４】
前記規制手段を、板ばねの一端を前記密着型イメージセンサに固定し、しかも他端にコロを設け、このコロを前記走行体に当接させた構成とし、前記密着型イメージセンサが上下動をしたとき前記コロが回転することを特徴とする請求項２記載の読取装置。
【請求項５】
前記走行体における前記コロが当接する面を斜面としたことを特徴とする請求項４記載の読取装置。
【請求項６】
前記規制手段を前記走行体に設置して、前記密着型イメージセンサを押圧することを特徴とする請求項１記載の読取装置。
【請求項７】
前記規制手段による前記密着型イメージセンサの押圧方向を斜め上方とすることによって前記規制手段が前記押圧手段を兼ねるように構成したことを特徴とする請求項６記載の読取装置。
【請求項８】
前記規制手段を、板ばねの一端を前記走行体に固定し、しかも他端にコロを設け、このコロを前記密着型イメージセンサに当接させた構成とし、前記密着型イメージセンサが上下動をしたとき前記コロが回転することを特徴とする請求項６または７記載の読取装置。
【請求項９】
前記密着型イメージセンサにおける前記コロが当接する面を斜面としたことを特徴とする請求項８記載の読取装置。
【発明の詳細な説明】
【０００１】
【発明の属する技術分野】
本発明は、密着型イメージセンサを用いて原稿画像情報を読み取る読取装置に関する。
【０００２】
【従来の技術】
図５は密着型イメージセンサを往復移動させて原稿画像情報を読み取る読取装置の一例を示す斜視図であり、１は密着型イメージセンサ、２は密着型イメージセンサ１を支持する走行体、３は走行体２をガイドするリードシャフト、４は駆動モータ、５は同軸プーリ、６はプーリ、７は駆動モータ４と同軸プーリ５との間に架設されたタイミングベルト、８は同軸プーリ５とプーリ６との間に架設されたワイヤ、９は、装置本体に設けられ、走行体２がホームポジションにあることを検知するホームポジションセンサ、１０はコンタクトガラスを示す。
【０００３】
リードシャフト３は密着型イメージセンサ１の長手方向に対して直角方向に伸びるように配置されており、密着型イメージセンサ１を装着した走行体２は、リードシャフト３にガイドに沿って往復移動可能に設置される。ワイヤ８は、リードシャフト３に略平行に架設されており、このワイヤ８の一部が走行体２に係合している。
【０００４】
駆動モータ４の回転はタイミングベルト７，同軸プーリ５を介してワイヤ８に伝達されてワイヤ８が回転する。このワイヤ８に連動して走行体２が移動することにより、密着型イメージセンサ１がコンタクトガラス１０の下側において駆動モータ４の正逆回転により往復移動するようになる。
【０００５】
図６は走行体における密着型イメージセンサの支持構造を示す斜視図、図７は図６の側面図であり、１１はスペーサであるコロを示し、このコロ１１は、密着型イメージセンサ１の長手方向両側面の上部両側に設けられている。１２は密着型イメージセンサ１の長手方向両側面の中央部から長手方向に沿って延出する延出部、１３は、延出部１２に形成され、密着型イメージセンサ１の長手方向に伸びる長孔、１４は走行体２の底面に立設された突起、１５は突起１４に嵌挿されるスプリングを示す。
【０００６】
突起１４に対して、スプリング１５を嵌挿しさらに長孔１３を嵌挿させることで、密着型イメージセンサ１が走行体２に装着される。さらに走行体２を装置本体に装着すると、密着型イメージセンサ１は、スプリング１５の付勢によってコロ１１，１１がコンタクトガラス１０の下面に当接した状態で維持される。このとき密着型イメージセンサ１とコンタクトガラス１０との間にはコロ１１，１１によって一定のスペースが保たれる。そして、走行体２が移動するとコロ１１，１１が回転することにより密着型イメージセンサ１も走行体２とともに移動する。
【０００７】
また、従来、この種の技術としては特願平５−３３１７５０号明細書に記載された読取装置があり、そこには、密着型イメージセンサにコロを設け、このコロをコンタクトガラスの下面と接触させ、さらに密着型イメージセンサを上下動のみ可能に支持する走行体に、密着型イメージセンサをコンタクトガラスに押圧する圧縮スプリングを設けることにより、原稿画像読取時における走行体の移動中、コロによって密着型イメージセンサとコンタクトガラスとの間隔が一定に保たれるようにした読取装置が記載されている。
【０００８】
【発明が解決しようとする課題】
固定した原稿に対してスキャナを移動させることによって画像を読み取るブック型の読取装置において、スキャナの部分に密着型イメージセンサを用いる場合、密着型イメージセンサは焦点距離を安定させる必要があるため、密着型イメージセンサの支持構造が問題となってくる。そこで、図７に示すように走行体２から密着型イメージセンサ１をコンタクトガラス１０側に押圧することにより、多少コンタクトガラス１０が捻じれても密着型イメージセンサ１の焦点距離が追従するようになる。
【０００９】
ところで、コンタクトガラス１０の捻じれに対してある程度の許容力を持たせるために、また密着型イメージセンサ１が走行体２に対して上下方向に移動可能とするために、走行体２の移動方向に対して走行体２と密着型イメージセンサ１との間に隙間を持たせることが必要となる。なお、以降、説明を簡略にするために、密着型イメージセンサ１におけるコンタクトガラス１０面に垂直な方向を上下方向、走行体２の移動方向を左右方向と称することにする。
【００１０】
しかし、図６に示す構成では、スプリング１５が密着型イメージセンサ１に対して上方向の押圧のみに用いられているため、密着型イメージセンサ１を左右方向から押圧するものではない。そのため、走行体２と密着型イメージセンサ１との間に隙間を持たせたことに対する副作用として、走行体２の移動時に走行体２の中で密着型イメージセンサ１に、図８に示すように左右方向の揺れあるいは図９に示すように傾き方向の揺れが生ずるおそれがあり、このような密着型イメージセンサ１の揺れは画像読取ぶれを引き起こす原因となる。
【００１１】
本発明は、このような問題点を解決し、密着型イメージセンサの揺れを規制して画像読取ぶれを防止した読取装置を提供することを課題とする。
【００１２】
【課題を解決するための手段】
前記課題を解決達成するための本発明は、原稿が上面に載置されるコンタクトガラスの下側に配置される密着型イメージセンサと、この密着型イメージセンサを上下動可能に支持する走行体と、前記コンタクトガラスと前記密着型イメージセンサとの間隔を一定に保持するスペーサと、このスペーサを介して前記密着型イメージセンサを前記コンタクトガラスに押圧する押圧手段とを備え、この押圧手段によって前記密着型イメージセンサを前記コンタクトガラスの側に押圧した状態で前記走行体を往復移動させて原稿の画像情報を読み取る読取装置において、前記走行体の移動方向における前記密着型イメージセンサの両側部を押圧して、前記密着型イメージセンサの両側部における揺れを規制する規制手段を設けたことを特徴とする。このような構成により、密着型イメージセンサは、走行体の内部において付勢手段によって左右方向から同時に押圧されているために、走行体の走行中に揺動することが規制され、一定した位置に安定する。
【００１３】
また本発明は、前記規制手段を前記密着型イメージセンサに設置し、前記走行体を押圧したときの前記走行体からの抗力により前記密着型イメージセンサを押圧することを特徴とする。このような構成により、密着型イメージセンサは左右方向から同時に押圧されるようになる。
【００１４】
また本発明は、前記抗力の方向が斜め上方となるように前記走行体を構成し、前記抗力の上方の成分により前記密着型イメージセンサを上方に押圧させることによって前記規制手段が前記押圧手段を兼ねることを特徴とする。このような構成により、密着型イメージセンサには左右方向から同時に斜め上方の押圧力が作用するため、その押圧力の左右方向の力の成分により、密着型イメージセンサは左右方向の揺れが規制され、上方向の力の成分により、密着型イメージセンサはコンタクトガラスの側に押圧されるようになり、規制手段に押圧手段の機能を持たせることが可能となる。
【００１５】
また本発明は、前記規制手段を、板ばねの一端を前記密着型イメージセンサに固定し、しかも他端にコロを設け、このコロを前記走行体に当接させた構成とし、前記密着型イメージセンサが上下動をしたとき前記コロが回転することを特徴とする。このような構成により、密着型イメージセンサが上下動したとき同時に規制手段も上下動するため、密着型イメージセンサに対する押圧方向が安定し、規制手段が密着型イメージセンサに対して下方向の力を加えることが防止される。
【００１６】
また本発明は、前記走行体における前記コロが当接する面を斜面としたことを特徴とする。このような構成により、前記走行体からの抗力が斜め上方となり、密着型イメージセンサには左右方向から同時に斜め上方の押圧力が作用するため、規制手段に押圧手段の機能を持たせることが可能となる。
【００１７】
また本発明は、前記規制手段を前記走行体に設置して、前記密着型イメージセンサを押圧することを特徴とする。このような構成により、密着型イメージセンサは左右方向から同時に押圧されるようになる。
【００１８】
また本発明は、前記規制手段による前記密着型イメージセンサの押圧方向を斜め上方とすることによって前記規制手段が前記押圧手段を兼ねるように構成したことを特徴とする。このような構成により、密着型イメージセンサには左右方向から同時に斜め上方の押圧力が作用するため、規制手段に押圧手段の機能を持たせることが可能となる。
【００１９】
また本発明は、前記規制手段を、板ばねの一端を前記走行体に固定し、しかも他端にコロを設け、このコロを前記密着型イメージセンサに当接させた構成とし、前記密着型イメージセンサが上下動をしたとき前記コロが回転することを特徴とする。このような構成により、密着型イメージセンサのみが規制手段によって左右から押圧された状態で上下動するため、密着型イメージセンサに対する押圧方向が安定し、さらに走行体の外形状をコンパクトにすることができる。
【００２０】
また本発明は、前記密着型イメージセンサにおける前記コロが当接する面を斜面としたことを特徴とする。このような構成により、密着型イメージセンサには左右方向から同時に斜め上方の押圧力が作用するため、規制手段に押圧手段の機能を持たせることが可能となる。
【００２１】
【発明の実施の形態】
以下、本発明の実施形態について、図面を参照して詳細に説明する。なお、図５〜図９に示した部材と同一の部材には同一の符号を付すことで詳細な説明は省略した。
【００２２】
図１は本発明の第１実施形態の装置の要部を示す構成図であり、２０は付勢部材、２１は板ばね、２２はコロを示す。付勢部材２０は板ばね２１の一端にコロ２２を回転可能に設置した構成である。また、板ばね２１の中央部にはＶ字状の曲げが施されており、この曲げの部分が板ばね２１の弾性部分となり、さらに、板ばね２１の他端が密着型イメージセンサ１に対する固定部となる。
【００２３】
付勢部材２０は、延出部１２における長孔１５の両側に板ばね２１の一端を固定することで密着型イメージセンサ１に片持ち支持状に設置される。そして密着型イメージセンサ１を走行体２に装着すると、コロ２２，２２が走行体２の内側の壁面に当接し、板ばね２１の中央部が若干閉じた状態になる。そのため、板ばね２１の中央部が開こうとする方向に付勢するようになり、密着型イメージセンサ１は左右方向から同時に押圧された状態となる。
【００２４】
このような構成により、密着型イメージセンサ１は左右方向から同時に押圧されるため、密着型イメージセンサ１の左右方向あるいは傾き方向の揺れが規制され、安定するようになる。また、密着型イメージセンサ１が上下動した場合、コロ２２，２２が回転して走行体２の内側壁面を上下するため、左右方向から押圧された状態は維持されるようになる。
【００２５】
図２は本発明の第２実施形態の装置の要部を示す構成図である。
【００２６】
この第２実施形態の装置は、図１に示す第１実施形態における装置において、コロ２２，２２が当接する走行体２の内側の上壁面を斜面２ａとし、スプリング１５を削除した構成である。
【００２７】
走行体２の斜面２ａからコロ２２は、斜め上方から抗力を受けるようになるため、密着型イメージセンサ１には斜め方向の押圧力が係るようになる。その結果、押圧力の上方の成分と左右方向の成分により密着型イメージセンサ１は上方向と左右方向とから同時に押圧される状態となる。
【００２８】
このような構成により、密着型イメージセンサ１の左右方向あるいは傾き方向の揺れが規制され、密着型イメージセンサ１が安定するようになるとともに、付勢部材２０が密着型イメージセンサ１を上方向に押圧する機能を有するようになるため、図１におけるスプリング１５の機能を兼用することができる。
【００２９】
図３は本発明の第３実施形態の装置の要部を示す構成図であり、３０は付勢部材、３１は板ばね、３２はコロを示す。付勢部材３０は板ばね３１の一端にコロ３２を回転可能に設置した構成である。また、板ばね３１は、中央部に曲げが施されたＶ字状の部材であり、この曲げの部分が板ばね３１の弾性部分となり、さらに、板ばね３１の他端が走行体２に対する固定部となる。
【００３０】
付勢部材３０は、走行体２の内側の底面に板ばね３１の一端を固定することで設置される。この時、２つの付勢部材３０，３０を一対としてコロ３２，３２が互いに対向するように付勢部材３０が設置される。そして密着型イメージセンサ１を走行体２に装着すると、コロ３２，３２が密着型イメージセンサ１の長手方向に延びる両側面に当接する。その際、板ばね３１は、密着型イメージセンサ１の装着前に比較して若干開いた状態になる。そのため、板ばね３１が閉じようとする方向に付勢するようになり、密着型イメージセンサ１はコロ３２，３２によって左右方向から押圧される状態となる。
【００３１】
このような構成により、密着型イメージセンサ１は左右方向から押圧されるため、密着型イメージセンサ１の左右方向あるいは傾き方向の揺れが規制され、安定するようになる。また、密着型イメージセンサ１が上下動した場合、コロ３２，３２が回転するため、左右方向から押圧された状態は維持されるようになる。
【００３２】
図４は本発明の第４実施形態の装置の要部を示す構成図である。
【００３３】
この第４実施形態の装置は、図３に示す第３実施形態における装置において、コロ３２，３２が当接する密着型イメージセンサ１の下外側の壁面を斜面１ａとし、スプリング１５を削除した構成である。
【００３４】
コロ３２の当接面が斜面であるため、密着型イメージセンサ１には板ばね３１からの押圧力が斜め方向から加わるようになる。その結果、押圧力の上方の成分と左右方向の成分により密着型イメージセンサ１は上方向と左右方向とから押圧される状態となる。
【００３５】
このような構成により、密着型イメージセンサ１の左右方向あるいは傾き方向の揺れが規制され、密着型イメージセンサ１が安定するようになるとともに、付勢部材３０が密着型イメージセンサ１を上方向に押圧する機能を有するようになるため、図３のスプリング１５の機能を備える。
【００３６】
【発明の効果】
以上、説明したように本発明によれば、走行体中における密着型イメージセンサの左右方向あるいは傾き方向の揺れが規制手段によって規制されることにより、読み取り画像にぶれが生ずることを防止することができる。
【００３７】
また、規制手段の密着型イメージセンサに対する押圧方向を斜め上方としたことにより、規制手段が押圧手段の機能を兼ねることができ、コストダウンが図れる。
【図面の簡単な説明】
【図１】本発明の第１実施形態の装置の要部を示す構成図である。
【図２】本発明の第２実施形態の装置の要部を示す構成図である。
【図３】本発明の第３実施形態の装置の要部を示す構成図である。
【図４】本発明の第４実施形態の装置の要部を示す構成図である。
【図５】密着型イメージセンサを往復移動させて原稿画像情報を読み取る読取装置の一例を示す斜視図である。
【図６】走行体における密着型イメージセンサの支持構造を示す斜視図である。
【図７】図６の側面図である。
【図８】走行体の移動中における密着型イメージセンサの左右方向の揺れを示す説明図である。
【図９】走行体の移動中における密着型イメージセンサの傾き方向の揺れを示す説明図である。
【符号の説明】
１…密着型イメージセンサ、  １ａ，２ａ…斜面、  ２…走行体、  １０…コンタクトガラス、  １１…コロ、  １２…延出部、  １３…長孔、  １４…突起、  １５…スプリング、  ２０，３０…付勢部材、  ２１，３１…板ばね、  ２２，３２…コロ。
【図１】
0003582051.tif 000002
【図２】
0003582051.tif 000003
【図３】
0003582051.tif 000004
【図４】
0003582051.tif 000005
【図５】
0003582051.tif 000006
【図６】
0003582051.tif 000007
【図７】
0003582051.tif 000008
【図８】
0003582051.tif 000009
【図９】
0003582051.tif 000010